(57)【要約】      （修正有）【課題】切断後のペーパー先端部が自動的に押し出され、さらに切断後のペーパー先端部が山形状となり、掴み易くなるトイレットペーパー用ホルダーを提供する。【解決手段】ホルダー１にペーパー１１を保持する軸３を設け、ホルダーの上部左右に上蓋用軸２を設け、軸２に開閉可能な上蓋４を装着し、更に、上蓋の一方の端部に、切り蓋７と、切り蓋を上下にスイングさせるコイルスプリング６と、歯形形状ローラー８とを同軸で支持する軸５を設ける。また切り蓋７の先端部には凸状山形状の切断刃９を設け、更に切断刃とは反対側に板状スプリング１０を設け、板状スプリングをローラーの歯部に接触させてローラーを回動させることにより、ロール状トイレットペーパーを回動させる。【選択図】図１
0003206654.tif 000002
【実用新案登録請求の範囲】
【請求項１】
ホルダー１の上部に上蓋用軸に軸支されている上蓋４の前端部に切り蓋用軸５により軸支される切り蓋７の先端に切断刃９が設けられ、該切り蓋７の後端側に向けて板状スプリング１０が設けられ、前記切り蓋用軸５には歯形形状ローラー８が固着されていて、前記切り蓋７を下方上方に付勢する手段であるコイルスプリング６が設けられてなることを特徴とするトイレットペーパー用ホルダー。
【請求項２】
前記切り蓋７は、該切り蓋の先端側に凸状の山形状であることを特徴とする請求項１に記載のトイレットペーパー用ホルダー。
【考案の詳細な説明】
【技術分野】
【０００１】
この考案は、ロール状トイレットペーパー用ホルダーにおける上蓋の改良に関する。
【背景技術】
【０００２】
ロール状トイレットペーパー用のホルダー（以下単にホルダーという）における上蓋は、従来は金属、合成樹脂等によって板状に形成され、これが自重によって先端部の下側の縁がトイレットペーパー（以下単にペーパーという）の外面に接していて、一方の手で前記上蓋の先端部に沿って当該ペーパーを切り離すようになっていた。
【先行技術文献】
【特許文献】
【０００３】
【特許文献１】特開２００８−１６７８９１
【特許文献２】特開平０７−２８４４６０
【特許文献３】特開平０７−１８４８０４
【特許文献４】実開平０７−０３９６９１
【特許文献５】実開平０５−０２８２９２
【特許文献６】実登３０４２５７４
【考案の概要】
【考案が解決しようとする課題】
【０００４】
上記公知技術のものにおいては、ペーパーを自動的に送り出す機能とか、ロール状トイレットペーパーの本体と切断後のペーパー先端部をロール状トイレットペーパー及び先端刃から離す機能を有するものもあるが、多くは、機構が複雑なものが多い。
【０００５】
また、現在一般的に使用されているホルダーは、簡単な構造ではあるが、ホルダーに装着してあるペーパーの先端部を掴み、引き出し、切断する場合、上蓋を手指で押さえ、該上蓋の縁に沿って切り取る構造であるため、ペーパーを切断した先端部がペーパー本体のロール部分と密着し、その上、切断した先端部が、上蓋の縁と同じか又は上蓋の内側に入って隠れてしまう為非常に判りにくい。その為、指先とか目の不自由な人においては使いにくい状態であった。このような状況から次に使用する人の為に予めペーパーの先端部を手で三角織にして掴み易くしてから使用する場合も見受けられる。
【課題を解決するための手段】
【０００６】
上記課題を解決するため、ホルダー１の上部に上蓋用軸に軸支されている上蓋４の前端部に切り蓋用軸５により軸支される切り蓋７の先端に切断刃９が設けられ、該切り蓋７の後端側に向けて板状スプリング１０が設けられ、前記切り蓋７用軸５には歯形形状ローラー８が固着されていて、前記切り蓋７を下方上方に付勢する手段であるコイルスプリング６が設けられてなることを特徴とするトイレットペーパー用ホルダー。
【０００７】
前記切り蓋７は、該切り蓋７の先端側に凸状の山形状９であることを特徴とするトイレットペーパー用ホルダー。
【考案の効果】
【０００８】
本考案は、ロール状トイレットペーパーの回動を自動化する事により、ペーパー本体を手で回動する事無く、切断後のペーパー先端部が自動的に押し出され、従来切り蓋の切断刃下に隠れていたペーパーの先端部が一目で判るようになり掴み易くなった、さらに切断後のペーパー先端部を山形状とした事により、より掴み易くなった。
【図面の簡単な説明】
【０００９】
【図１】本考案の全体構成を示す図である。
【図２】全体構成図の断面図及び歯車型ローラー付上蓋と、切り蓋の作動図である。
【図３】ローラーと板状スプリングとペーパーの位置関係及び拡大図である。
【図４】部品図である。
【考案を実施するための形態】
【００１０】
以下、添付図面を参照して本考案の趣旨を説明する。
【００１１】
図１は、上記の本考案に係るホルダー１の上面から見た構成図であり、ホルダー１の形体はコの字状であり、ペーパー１１を保持する軸３を設け、ホルダー１の上部左右に上蓋用軸支２を設け、該軸２とした開閉可能な上蓋４を装着し、更に、上蓋４の一方の端部に、同一軸５とする切り蓋７と、該切り蓋７を上下にスイングさせるコイルスプリング６と、ローラー８とを形成とする軸５を設け、また切り蓋７の先端部には凸状山形状の切断刃９を設け、更に切断刃９とは反対側に歯形形状ローラー８を回動させる板状スプリング１０を設け、該板状スプリング１０をローラー８の歯部に接触させてローラー８を回動させる、該ローラー８の回動によりロール状トイレットペーパー１１を回動させる機能とした図を示す。
【００１２】
図２は、図１に示した構成図の断面図で有ると共に、ローラー付上蓋４のローラー８がペーパー１１に押し当てられた状態を示す図であり、またローラー付上蓋４と切り蓋７の両用となる軸５の接続形態を示し、更にローラー８の歯形形状及び、ローラー８を回動させる為の板状スプリング１０が歯形に当接する状態を示し、また切り蓋７先端に付設した切断刃９の形状、更に切り蓋７を手で押さえる前の切断刃９と押さえた後の切断刃９の可動幅Hを示す図である。またペーパー１１の量が減少した時の切断刃９の位置Dを示す図である。
【００１３】
図３は、図２に示した構成図のローラー部拡大断面図である。
【００１４】
図４は、図１に示す部品図である。
【実施例１】
【００１５】
本考案は、現在一般的に使用されているホルダー１と同じ使用方法で、ペーパー１１のホルダー１に装着から切断まで同じ手順で行う事が出来る。従って、本発明の手順として、ホルダー１にペーパー１１を装着し上蓋４を降し、装着されているペーパー１１の先端部を掴み、必要な長さまで引き出し、その後、切り蓋７を手で押さえる。これに伴いローラー付上蓋４のローラー８をペーパー１１に接するまで押し下げる事により、ペーパー１１は回動せず停止する、該ペーパー１１を押さえた状態で、引き出したペーパー１１を凸状山形切断刃９に当てながら引っ張り上げて切断する。
【００１６】
またペーパー１１切断後、切り蓋７の手を離す事によりコイルスプリング６のスイング作用により切り蓋７は上昇し元の位置まで戻る、この上昇するスイング力を利用する為、ローラー８と板状スプリング１０は同一軸５で有る事から、切り蓋７の切断刃９が上昇した時板状スプリング１０も回転しながらローラー８の歯に当たる、この事からローラー８も回動する、更にローラー８の歯形形状の歯先は、ロール状トイレットペーパー１１に押し圧されている為ペーパー１１も回動する。この時ローラー８の回転方向はペーパー１１を送出方向のみで逆回転防止としてラチェット機構とした板状スプリング１０を設けあり、板状スプリング１０は歯形形状の刃の上面をスプリング作用で滑る状態で切断刃９と共に下がりローラー８回動の為の準備に入る。またペーパー１１の回動に伴って、ペーパー１１の先端部Pはロール状ペーパー本体１１から離れた状態で押し出され、切断時の切断刃先９より出ることになる、またペーパー１１の押し出される長さは、切り蓋７の上昇する高さを調整する事により変更する事が可能である。また、ペーパー１１の先端部Pが山形９になっている為見易く掴み易くなっている。以上ペーパー１１の切断後においては、切断刃９が元の位置まで自動復帰と同時に、ペーパー１１先端部Pが自動的に送出し、次回ペーパー１１の切断に備える事が出来る。
【００１７】
以上、本考案の一実施例について説明したが、本考案は記述の実施例に限定されるものではなく、本考案の技術的思想に基づいて、各種の変形及び変更が可能である。
【産業上の利用可能性】
【００１８】
本考案は、公共施設、一般施設、店舗、家庭において設置使用可能である。
【符号の説明】
【００１９】
１    トイレットペーパー用ホルダー
２    上蓋用軸
３    ロール状トイレットペーパー用軸  
４    上蓋
５    切り蓋用軸
６    コイルスプリング
７    切り蓋
８    歯形形状ローラー
９    切断刃
１０    板状スプリング
１１    ロール状トイレットペーパー
１２    トイレットペーパー用ホルダーの壁等への取り付け用孔
H    切断刃の刃先の上下可動範囲
D    ロール状トイレットペーパーの減少による切断刃の刃先の位置
P    トイレットペーパーの先端
【図１】
0003206654.tif 000003
【図２】
0003206654.tif 000004
【図３】
0003206654.tif 000005
【図４】
0003206654.tif 000006